(57)【要約】      （修正有）【課題】上衣、フード、ズボン、靴下、靴を一体化したことで衣服に砂が入り込まず、使用者の指と爪の間に砂や雑菌等で汚染されずに済み、利用者の着脱も簡単になる幼児砂場用衣服を提供する。【解決手段】つなぎ服、フード、手袋、靴下、靴を一体化したことで身体に砂や雑菌が混入するのを防ぎ、手の汚れ及び衛生上の問題を解消した。使用者が簡単に着脱出来、自由自在に関節を動かすことができるように、ファスナー３，４，５，６，７の位置、衣服の幅をギャザーにせず、身ごろの裏側から数本のダーツ８，９，１０，１１，１２，１３，１４，１５，１６，１７，１８，１９縫いでふくらみを持たせ、また、靴下状に形成した部分と靴横部とをかがり縫いで結合させた。【選択図】図１
0003109323.tif 000002
【実用新案登録請求の範囲】
【請求項１】
本考案、砂場用遊び着は、つなぎ服に、フード、手袋、靴下、靴を一体化したことで、砂場遊びでの衣服、靴下、靴に砂が入り込むのを防ぎ、使用者の指と爪の間に砂や動物の糞尿、その他の雑菌が入るのを防ぐことを特徴とする、幼児砂場用衣服。
【請求項２】
図１で示した通りひじ、ひざの関節の動きを自由自在にするために生地は伸縮性のある素材を用い、ゆとりをもたせるギャザーは、その間に砂が入り込むので、身ごろの裏側より、ゆるやかなダーツ（〔図１〕８，９，１０，１１，１２，１３，１４，１５，１６，１７，１８，１９）縫いで、手、足首の近くを細め、機能性を持たせた、幼児砂場用衣服。
【請求項３】
簡単に着脱が出来るよう。
（１）  ひじ中下より手の甲、ひざ中下より足の甲までにファスナー（〔図１〕３，４，５，６，７）を付けた。
（２）  手のひらの部分を二重に縫い合わせ縦横にミシン縫い（〔図３〕）することで手と砂の摩擦による破れを防ぐ。
（３）  靴下部と靴の境をかがり縫いで結合した。
以上の特徴からなる幼児砂場用衣服。
【考案の詳細な説明】
【技術分野】
【０００１】幼児の砂場での遊び着に適用した衣服。
【背景技術】
【０００２】幼児の砂場遊びは衣服や、靴下、靴に砂が入り込み、その後始末の洗濯が大変であり、幼児の指と爪先の間に砂や雑菌が入り衛生的な問題があった。
【考案の開示】
【考案が解決しようとする課題】
【０００３】砂場遊びでの衣服に砂や雑菌が入り込むのを防ぐために衣服を考案する。
【課題を解決するための手段】
【０００４】この考案の手段は、つなぎ服にフード、手袋、靴下、靴を一体化した特徴（請求項１）や（〔図１〕）で示した通りひじ、ひざの関節の動きを自由自在にするため、生地は収縮性のある素材を用い、ゆとりを持たせるギャザーは、その間に砂が入り込むのを防ぐために、身ごろの裏側よりゆるやかなダーツ（〔図１〕８，９，１０，１１，１２，１３，１４，１５，１６，１７，１８，１９）縫いで手足首を細め機能性を持たせることを特徴とした。
【考案の効果】
【０００５】上衣、フード、ズボン、靴下、靴を一体化したことで衣服に砂が入り込まず、使用者の指と爪の間に砂や雑菌等で汚染されずに済み、利用者の着脱も簡単になる。
【考案を実施するための最良の形態】
【０００６】手のひじから甲、足のひざ下から甲まで一体化しているため、ファスナー（〔図１〕３，４，５，６，７）で開閉し、着脱がスムーズに行く。また、砂が衣服に入り込まないよう、ギャザーにせず、衣服の裏側に数本のダーツ（〔図１〕８，９，１０，１１，１２，１３，１４，１５，１６，１７，１８，１９）縫いで幅をもたせ、緩やかにしたので自由自在に関節が動く。
【実施例】
【０００７】本考案の一実施の形態を（図１）を用いて説明する。
つなぎ服、フード、手袋、靴下、靴から一体化されており砂場遊び後、すぐに着脱でき、叩けば砂が落ち、大変便利な幼児砂場用衣服。
【産業上の利用可能性】
【０００８】幼児砂場用衣服は、初めての試みであり、企業として未だ製品化されておらず、期待が大である。
【図面の簡単な説明】
【０００９】
【図１】上衣、ズボン、フード、手袋、靴下、靴を一体化した図面。
【図２】つなぎ本身ごろ、ひざ下から足の甲の部分の生地と足底部のフェルト、スェード、薄手のレザー合成樹脂を縫着した横断図面。
【図３】手のひらの部分を二重にし、縦横にミシン縫いした図面。
【符号の説明】
【００１０】  １・・・・・・・・・・・フード
２・・・・・・・・・・・衣服全体
３・・・・・・・・・・・ファスナー
４・・・・・・・・・・・ファスナー
５・・・・・・・・・・・ファスナー
６・・・・・・・・・・・ファスナー
７・・・・・・・・・・・ファスナー
８・・・・・・・・・・・衣服裏側よりのダーツ縫い
９・・・・・・・・・・・衣服裏側よりのダーツ縫い
１０・・・・・・・・・・・衣服裏側よりのダーツ縫い
１１・・・・・・・・・・・衣服裏側よりのダーツ縫い
１２・・・・・・・・・・・衣服裏側よりのダーツ縫い
１３・・・・・・・・・・・衣服裏側よりのダーツ縫い
１４・・・・・・・・・・・衣服裏側よりのダーツ縫い
１５・・・・・・・・・・・衣服裏側よりのダーツ縫い
１６・・・・・・・・・・・衣服裏側よりのダーツ縫い
１７・・・・・・・・・・・衣服裏側よりのダーツ縫い
１８・・・・・・・・・・・衣服裏側よりのダーツ縫い
１９・・・・・・・・・・・衣服裏側よりのダーツ縫い
２０・・・・・・・・・・・左靴下と靴の結合部分
２１・・・・・・・・・・・右靴下と靴の結合部分
２２・・・・・・・・・・・左靴部分
２３・・・・・・・・・・・右靴部分
２４・・・・・・・・・・・左靴下部分
２５・・・・・・・・・・・右靴下部分
２６・・・・・・・・・・・ズボンひざ下の衣服裏側よりのダーツ部分
２７・・・・・・・・・・・ズボンひざ下の衣服裏側よりのダーツ部分
２８・・・・・・・・・・・ズボンひざ下の衣服裏側よりのダーツ部分
２９・・・・・・・・・・・ひざ下から甲までのファスナー
３０・・・・・・・・・・・靴側面
３１・・・・・・・・・・・靴
３２・・・・・・・・・・・手袋（５本指）
３３・・・・・・・・・・・手袋（ミトン）
３４・・・・・・・・・・・手袋（５本指）ミシン縫いの部分
３５・・・・・・・・・・・手袋（ミトン）ミシン縫いの部分
３６・・・・・・・・・・・手袋（５本指）よりひじにかけての裏側よりダーツ部分
３７・・・・・・・・・・・手袋（５本指）よりひじにかけての裏側よりダーツ部分
３８・・・・・・・・・・・手袋（５本指）よりひじにかけての裏側よりダーツ部分
３９・・・・・・・・・・・手袋（５本指）よりひじにかけての裏側よりダーツ部分
４０・・・・・・・・・・・手袋（ミトン）よりひじにかけての裏側よりダーツ部分
４１・・・・・・・・・・・手袋（ミトン）よりひじにかけての裏側よりダーツ部分
４２・・・・・・・・・・・手袋（ミトン）よりひじにかけての裏側よりダーツ部分
４３・・・・・・・・・・・手袋（ミトン）よりひじにかけての裏側よりダーツ部分
【図１】
0003109323.tif 000003
【図２】
0003109323.tif 000004
【図３】
0003109323.tif 000005
【手続補正書】
【提出日】平成16年12月7日(2004.12.7)
【手続補正１】
【補正対象書類名】実用新案登録請求の範囲
【補正対象項目名】全文
【補正方法】変更
【補正の内容】
【実用新案登録請求の範囲】
【請求項１】
フード、手袋、靴下、靴、つなぎ服を一体化したことを特徴とする、幼児砂場用衣服。
【請求項２】
身ごろの裏側に、ゆるやかなダーツ縫部をもうけたことを特徴とする請求項１に記載した幼児砂場用衣服。
【請求項３】
ひじの中下より手の甲までとひざ中下より足の甲までにもうけたファスナー、さらに手のひらの部分を二重の布で合わせ縦横にミシン縫いした摩擦破れ防止部
また、靴下部と靴の境をかがり縫いをした結合部から成ることを特徴とした請求項１に記載の幼児砂場用衣服。
【手続補正２】
【補正対象書類名】明細書
【補正対象項目名】全文
【補正方法】変更
【補正の内容】
【考案の詳細な説明】
【技術分野】
【０００１】幼児の砂場での遊び着に適用した衣服。
【背景技術】
【０００２】幼児の砂場遊びは衣服や、靴下、靴に砂が入り込み、その後始末の洗濯が大変であり、幼児の指と爪先の間に砂や雑菌が入り衛生的な問題があった。
【考案の開示】
【考案が解決しようとする課題】
【０００３】砂場遊びでの衣服に砂や雑菌が入り込むのを防ぐために衣服を考案する。
【課題を解決するための手段】
【０００４】この考案の手段はつなぎ服にフード、手袋、靴下、靴を一体化した特徴を持つ請求項１や図１で示した通り、ひじ、ひざの関節の動きを自由自在にするため、生地は収縮性のある素材を用いまた、ゆとりを持たせるギャザーは、その間に砂が入り込むのを防ぐため身ごろの内側より緩やかなダーツ縫部を用いたものであって図１に示す８，９，１０，１１はウエスト部分のダーツ縫い、図１に示す１２，１３，１４，１５は手首部分のダーツ縫部及び図１に示す１６，１７，１８，１９は足首部分のダーツ縫いにより構成されるものである、すなわち砂場遊びの衣服を着用することによって砂や動物の糞尿、その他の雑菌が入るのを防ぐものであり、さらにひじ中下より手の甲とひざ中下より足の甲までに図１に示すファスナー３，４，５，６，７を付けたものまたは手のひらの部分を二重に縫い合わせ縦横にミシン縫いした図３に示す３４，３５、及びまさつやぶれ防止部、くつ下部とくつの境をかがり縫いで結合した、図１に示す結合部２０，２１等の機能性を持たせたことを特徴にした幼児砂場用衣服。
【考案の効果】
【０００５】上衣、フード、ズボン、靴下、靴を一体化したことで衣服に砂が入り込まず、使用者の指と爪の間に砂や雑菌等で汚染されずに済み、利用者の着脱も簡単になる。
【考案を実施するための最良の形態】
【０００６】手のひじから手の甲、足のひざ下から足の甲まで一体化しているため、ファスナー図１に示す３，４，５，６，７で開閉し、着脱がスムーズに行くまた、砂が衣服に入り込まないよう、ギャザーにせず、衣服の裏側に図１に示す８，９，１０，１１，１２，１３，１４，１５，１６，１７，１８，１９のｄファーツ縫いで幅をもたせ、緩やかにしたことで自由自在に関節が動くことを特徴とした幼児砂場用衣服。
【実施例】
【０００７】この考案の一実施の形態を図１も用いて説明する、つなぎ服にフード、手袋、靴下、靴を一体化した特徴請求項１や図１で示した通り、ひじ、ひざの関節の動きを自由自在にするため、生地は収縮性のある素材を用いまた、ゆとりを持たせるギャザーは、その間に砂が入り込むのを防ぐため身ごろの内側より緩やかなダーツ縫いを用いたものであって図１に示す８，９，１０，１１はウエスト部分のダーツ縫部、図１に示す１２，１３，１４，１５は手首部分のダーツ縫部および図１に示す１６，１７，１８，１９は足首部分のダーツ縫いにより構成されるものである、すなわち砂場遊びの衣服を着用することによって砂や動物の糞尿、その他の雑菌が入るのを防ぐものであり、さらにひじ中下より、手の甲とひざ中下より足の甲までに図１に示すファスナー３，４，５，６，７を付けたものまたは手のひらの部分を二重に縫い合わせ縦横にミシン縫いした図３に示す３４，３５、及びまさつやぶれ防止部、くつ下部とくつの境をかがり縫いで結合した、図１に示す結合部２０，２１等の機能性を持たせたことを特徴にした幼児砂場用衣服。
【産業上の利用可能性】
【０００８】幼児砂場用衣服は、初めての試みであり、企業として未だ製品化されておらず、期待が大である。
【図面の簡単な説明】
【０００９】
【図１】上衣、ズボン、フード、手袋、靴下、靴を一体化した図面。
【図２】つなぎ本身ごろ、ひざ下から足の甲の部分の生地と足底部のフェルト、スェード、薄手のレザー合成樹脂を縫着した横断図面。
【図３】手のひらの部分を二重にし、縦横にミシン縫いした図面。
【符号の説明】
【００１０】  １・・・・・フード
２・・・・・衣服全体
３・・・・・衣服中央のファスナー
４・・・・・左手ひじ下より手の甲までのファスナー
５・・・・・右手ひじ下より手の甲までのファスナー
６・・・・・左足ひざ下より足の甲までのファスナー
７・・・・・右足ひざ下より足の甲までのファスナー
８・・・・・ウエスト部分（衣服裏側）のダーツ縫部
９・・・・・ウエスト部分（衣服裏側）のダーツ縫部
１０・・・・・ウエスト部分（衣服裏側）のダーツ縫部
１１・・・・・ウエスト部分（衣服裏側）のダーツ縫部
１２・・・・・手首部分（衣服裏側）のダーツ縫部
１３・・・・・手首部分（衣服裏側）のダーツ縫部
１４・・・・・手首部分（衣服裏側）のダーツ縫部
１５・・・・・手首部分（衣服裏側）のダーツ縫部
１６・・・・・足首部分（衣服裏側）のダーツ縫部
１７・・・・・足首部分（衣服裏側）のダーツ縫部
１８・・・・・足首部分（衣服裏側）のダーツ縫部
１９・・・・・足首部分（衣服裏側）のダーツ縫部
２０・・・・・結合部
２１・・・・・結合部
２２・・・・・左靴部
２３・・・・・右靴部
２４・・・・・左靴下部
２５・・・・・右靴下部
２６・・・・・側面より見たズボンひざ下の衣服裏側のダーツ部
２７・・・・・側面より見たズボンひざ下の衣服裏側のダーツ部
２８・・・・・側面より見たズボンひざ下の衣服裏側のダーツ部
２９・・・・・側面より見たズボンひざ下の衣服裏側のダーツ部
３０・・・・・靴側面
３１・・・・・靴
３２・・・・・手袋の（５本指）部
３３・・・・・手袋の（ミトン）部
３４・・・・・まさつやぶれ防止部
３５・・・・・まさつやぶれ防止部
３６・・・・・手袋の（５本指）手首よりひじにかけての裏側ダーツ部
３７・・・・・手袋の（５本指）手首よりひじにかけての裏側ダーツ部
３８・・・・・手袋の（５本指）手首よりひじにかけての裏側ダーツ部
３９・・・・・手袋の（５本指）手首よりひじにかけての裏側ダーツ部
４０・・・・・手袋の（ミトン）手首よりひじにかけての裏側ダーツ部
４１・・・・・手袋の（ミトン）手首よりひじにかけての裏側ダーツ部
４２・・・・・手袋の（ミトン）手首よりひじにかけての裏側ダーツ部
４３・・・・・手袋の（ミトン）手首よりひじにかけての裏側ダーツ部